(57)【要約】【課題】第１宅内装置とその対向の第１局舎装置を、第２宅内装置とその対向の第２局舎装置に切り替える制御を自動的に実行する。【解決手段】第１宅内装置とその対向の第１局舎装置を、第２宅内装置とその対向の第２局舎装置に切り替えるための制御を実施する制御装置において、前記第１局舎装置と前記第２局舎装置とが備えられる局舎には、宅内装置からの信号を検知する信号検知装置、及び測定器が備えられており、前記信号検知装置からの通知信号に基づいて、宅内側で前記第１宅内装置が取り外され、前記第２宅内装置が取り付けられたことを検知する接続判断部と、前記第２宅内装置と前記測定器とを接続し、当該測定器を用いた開通試験を実施し、開通試験に成功した場合に、前記第２宅内装置と前記第２局舎装置とを接続する動作制御部とを備える。【選択図】図１
2020048171.tif 000002
【特許請求の範囲】
【請求項１】
第１宅内装置とその対向の第１局舎装置を、第２宅内装置とその対向の第２局舎装置に切り替えるための制御を実施する制御装置であって、
前記第１局舎装置と前記第２局舎装置とが備えられる局舎には、宅内装置からの信号を検知する信号検知装置、及び測定器が備えられており、
前記信号検知装置からの通知信号に基づいて、宅内側で前記第１宅内装置が取り外され、前記第２宅内装置が取り付けられたことを検知する接続判断部と、
前記第２宅内装置と前記測定器とを接続し、当該測定器を用いた開通試験を実施し、開通試験に成功した場合に、前記第２宅内装置と前記第２局舎装置とを接続する動作制御部と
を備える制御装置。
【請求項２】
前記接続判断部は、前記信号検知装置が宅内装置から受信する光信号の光特性に基づいて、前記第２宅内装置が取り付けられているか否かを判断する
請求項１に記載の制御装置。
【請求項３】
前記局舎には、宅内装置と局舎装置との間の接続切り替えを行う自動接続切り替え装置が備えられ、前記動作制御部は、前記自動接続切り替え装置に指示を送信することにより、接続切り替えを実行する
請求項１又は２に記載の制御装置。
【請求項４】
請求項１ないし３のうちいずれか１項に記載の制御装置と、前記信号検知装置と、前記測定器と
を有する切り替えシステム。
【請求項５】
第１宅内装置とその対向の第１局舎装置を、第２宅内装置とその対向の第２局舎装置に切り替えるための制御を実施する制御装置が実行する切り替え制御方法であって、
前記第１局舎装置と前記第２局舎装置とが備えられる局舎には、宅内装置からの信号を検知する信号検知装置、及び測定器が備えられており、
前記信号検知装置からの通知信号に基づいて、宅内側で前記第１宅内装置が取り外され、前記第２宅内装置が取り付けられたことを検知するステップと、
前記第２宅内装置と前記測定器とを接続し、当該測定器を用いた開通試験を実施し、開通試験に成功した場合に、前記第２宅内装置と前記第２局舎装置とを接続するステップと
を備える切り替え制御方法。
【請求項６】
コンピュータを、請求項１ないし３のうちいずれか１項に記載の制御装置における各部として機能させるためのプログラム。
【発明の詳細な説明】
【技術分野】
【０００１】
本発明は、通信サービスを提供するある装置を別の装置に切り替える技術に関連するものである。
【背景技術】
【０００２】
通信サービスを提供する通信事業者においては、例えばある通信方式の通信サービスを別の通信方式の通信サービスに移行させるマイグレーションが行われる場合がある。
【０００３】
マイグレーションでは一般に、通信サービスを提供している既存の装置を新たな装置に切り替える作業が実施される。装置の切り替えに伴う配線の切り替えは、例えばロボットパッチパネル（参考文献：特開２００５−３４６０１５号公報）を用いて自動的に行うことが可能である。
【先行技術文献】
【特許文献】
【０００４】
【特許文献１】特許第４６０８２４３号
【発明の概要】
【発明が解決しようとする課題】
【０００５】
上述したロボットパッチパネル等により配線切り替え作業を自動化できる。しかしながら、従来技術では、作業者のコマンド指示により配線切り替え作業を自動化できるに過ぎない。
【０００６】
マイグレーションにおける装置の切り替えにおいては、ユーザ宅側の宅内装置の切り替えと通信事業者の局舎側の局舎装置の切り替えの両方を行わなければならず、ユーザ宅への作業員の手配に時間がかかったり、作業実施に人手と時間がかかる等の課題があった。
【０００７】
本発明は上記の点に鑑みてなされたものであり、第１宅内装置とその対向の第１局舎装置を、第２宅内装置とその対向の第２局舎装置に切り替える制御を自動的に実行することを可能とする技術を提供することを目的とする。
【課題を解決するための手段】
【０００８】
開示の技術によれば、第１宅内装置とその対向の第１局舎装置を、第２宅内装置とその対向の第２局舎装置に切り替えるための制御を実施する制御装置であって、
前記第１局舎装置と前記第２局舎装置とが備えられる局舎には、宅内装置からの信号を検知する信号検知装置、及び測定器が備えられており、
前記信号検知装置からの通知信号に基づいて、宅内側で前記第１宅内装置が取り外され、前記第２宅内装置が取り付けられたことを検知する接続判断部と、
前記第２宅内装置と前記測定器とを接続し、当該測定器を用いた開通試験を実施し、開通試験に成功した場合に、前記第２宅内装置と前記第２局舎装置とを接続する動作制御部と
を備える制御装置が提供される。
【発明の効果】
【０００９】
開示の技術によれば、第１宅内装置とその対向の第１局舎装置を、第２宅内装置とその対向の第２局舎装置に切り替える制御を自動的に実行することを可能とする技術が提供される。
【図面の簡単な説明】
【００１０】
【図１】本発明の実施の形態におけるシステムの全体構成を示す図である。
【図２】光可視化ＰＰ３１０の機能構成を説明するための図である。
【図３】制御装置１００の機能構成を示す図である。
【図４】制御装置１００のハードウェア構成例を示す図である。
【図５】接続判断部１３０の動作ロジックの例を説明するための図である。
【図６】ステップ１の動作を示す図である。
【図７】ステップ２の動作を示す図である。
【図８】ステップ３の動作を示す図である。
【図９】ステップ４の動作を示す図である。
【図１０】ステップ５の動作を示す図である。
【発明を実施するための形態】
【００１１】
以下、図面を参照して本発明の実施の形態を説明する。以下で説明する実施の形態は一例に過ぎず、本発明が適用される実施の形態は、以下の実施の形態に限られるわけではない。
【００１２】
例えば、以下で説明する例では、既存装置から新装置への切り替えを例にとって説明しているが、本発明の適用先はこれに限られない。例えば、現用装置を予備装置に切り替える場合にも本発明の技術を適用することが可能である。
【００１３】
また、以下で説明する例では、ユーザ宅と局舎との間の回線として光ファイバを用いる例を示しているが、これは一例であり、本発明は、ユーザ宅と局舎との間の回線の種別に関わらずに適用可能である。例えば、ユーザ宅と局舎との間の回線がメタルや無線であってもよい。
【００１４】
また、以下で説明する例では、自動接続（配線）切り替え装置の例としてロボットパッチパネルを使用しているが、これも一例であり、自動接続切り替え装置としてロボットパッチパネル以外の装置を使用してもよい。
【００１５】
（システム構成）
図１に、本発明の実施の形態における通信システムの全体構成を示す。図１には、通信事業者の局舎３００と、通信事業者の通信サービスを利用しているユーザのユーザ宅２００が示されている。
【００１６】
ユーザ宅２００には、ユーザ宅側既存存置２１０、ユーザ宅側新装置２２０、及びユーザ装置２３０が備えられている。なお、図１は、ユーザ宅側既存存置２１０からユーザ宅側新装置２２０への切り替えを行うことを想定して、ユーザ宅側新装置２２０が既に準備されていることを示している。なお、ユーザ宅に設置される装置を「宅内装置」と称してもよい。
【００１７】
通信事業者の局舎３００には、光可視化パッチパネル３１０（以降、光可視化ＰＰ３１０と記載する）、ロボットパッチパネル３２０（以降、ロボＰＰ３２０と記載する）、局舎側既存装置３３０、局舎側新装置３４０、及び測定器３５０が備えられている。局舎側既存装置３３０、局舎側新装置３４０はいずれもメトロネットワーク４００（メトロＮＷ４００）に接続されている。メトロＮＷとは、ビル間などを接続する都市部におけるネットワークである。なお、局舎側既存装置３３０及び局舎側新装置３４０が接続されるネットワークは、メトロＮＷ４００に限られるわけではない。局舎（通信事業者のビル等）に設置される装置を「局舎装置」と称してもよい。
【００１８】
また、通信事業者側には、各種の制御を行う上位システムである制御装置１００が備えられている。図１の例では、制御装置１００は、ネットワーク（例：インターネット、あるいは社内網）を介して、１つの局舎３００における各装置の制御を行うように図示されているが、これは図示の便宜上のものであり、制御装置１００は、複数の局舎の装置を制御することが可能である。ただし、局舎毎に制御装置１００が備えられることとしてもよい。
【００１９】
図１に示す例では、ユーザ宅側既存装置２１０と光可視化ＰＰ３１０との間は光ファイバにより接続され光により通信が行われる。以下、ユーザ宅２００と局舎３００における各装置の機能を説明する。
【００２０】
＜ユーザ宅側＞
ユーザ宅側既存装置２１０は、ユーザへのサービス提供のために利用されている旧装置（切り替え前まで使用される装置）である。ユーザ宅側既存装置２１０は、局舎側から流れてきた光信号を電気信号に変換してユーザ装置２３０に伝送し、ユーザ装置２３０から流れてきた電気信号を光信号に変換して局舎側に伝送する機能を有する。
【００２１】
ユーザ宅側新装置２２０は、ユーザへのサービス提供のために利用される新装置（切り替え後から使用される装置）である。ユーザ宅側新装置２２０は、局舎側から流れてきた光信号を電気信号に変換してユーザ装置２３０に伝送し、ユーザ装置２３０から流れてきた電気信号を光信号に変換して局舎側に伝送する機能を有する。ユーザ装置２３０は、例えば通信サービスを利用するコンピュータである。
【００２２】
＜局舎側＞
局舎内における光可視化ＰＰ３１０は、局舎側既存装置３３０／局舎側新装置３４０側とユーザ宅側既存装置２１０／ユーザ宅側新装置２２０との間に流れる光信号を検知し、検知した光信号を電気信号に変換して、当該電気信号を制御装置１００に通知する機能を有する。
【００２３】
図２に、光可視化ＰＰ３１０の構成例を示す。図２に示すように、光可視化ＰＰ３１０は、ユーザ宅に接続される光ファイバと、ロボＰＰ３２０に接続する光ファイバとを接続するように構成される。そして、ユーザ宅からの光信号を検知し、電気信号として制御装置１００へ通知する。あるいは、ロボＰＰ３２０からの光信号を検知し、電気信号として制御装置１００へ通知する。
【００２４】
ロボＰＰ３２０は、例えば参考文献（特開２００５−３４６０１５号公報）に記載されているような自動的に光ファイバの接続切り替えを行う機能を備える装置である。
【００２５】
例えば、ロボＰＰ３２０のユーザ宅側のポートＡにユーザＡ向けの光ファイバが接続され、ポートＢにユーザＢ向けの光ファイバが接続され、ポートＣにユーザＣ向けの光ファイバが接続され、局舎装置側のポートＸに局舎装置Ｘ向けの光ファイバが接続され、ポートＹに局舎装置Ｙ向けの光ファイバが接続され、ポートＺに局舎装置Ｚ向けの光ファイバが接続されているとする。
【００２６】
例えば、ユーザＡと局舎装置Ｙとの間で光通信を行う場合には、ロボＰＰ３２０内で、ポートＡとポートＹとを光ファイバで接続する。そして、例えば、ユーザＡと局舎装置Ｙとの間で光通信を行う状態から、ユーザＡと局舎装置Ｚとの間で光通信を行う状態に切り替えたい場合には、ロボＰＰ３２０は、制御装置１００からの指示により、自動的に、ポートＡとポートＹとの間の接続から、ポートＡとポートＺとの間の接続へ切り替えることができる。
【００２７】
局舎側既存装置３３０は、局舎側でユーザへのサービス提供のために利用されている旧装置（切り替え前まで使用される装置）である。局舎側既存装置３３０は、メトロＮＷ４００側から流れてきた電気信号を光信号に変換してユーザ宅側の装置に向けて伝送し、ユーザ宅側の装置から流れてきた光信号を電気信号に変換してメトロＮＷ４００側に伝送する機能を有する。
【００２８】
局舎側新装置３４０は、局舎側でユーザへのサービス提供のために利用されている新装置（切り替え後から使用される装置）である。局舎側新装置３４０は、メトロＮＷ４００側から流れてきた電気信号を光信号に変換してユーザ宅側の装置に向けて伝送し、ユーザ宅側の装置から流れてきた光信号を電気信号に変換してメトロＮＷ４００側に伝送する機能を有する。
【００２９】
測定器３５０は、例えば試験用の光信号をユーザ宅側に送信し、応答信号を検知することで、伝送経路の開通試験を行う機能を有する。
【００３０】
＜上位システム＞
制御装置１００は、ネットワークを介して局舎側の各装置と通信を行うことにより、局舎側の各装置の制御を実施する装置である。
【００３１】
図３に制御装置１００の機能構成を示す。図３に示すように、制御装置１００は、ユーザＩＦ部１１０、申込み処理部１２０、接続判断部１３０、動作制御部１４０、及びデータ格納部１５０を有する。
【００３２】
ユーザＩＦ部１１０は、例えばＷｅｂ画面をユーザ（ユーザ端末）に提供して、ユーザが情報を入力することを可能とする。申込み処理部１２０は、ユーザＩＦ部１１０を介してユーザからのマイグレーション申込み情報を取得し、当該情報をデータ格納部１５０に格納する。申込み情報には、例えば、ユーザの識別情報、及び切り替え予定日時が含まれる。
【００３３】
接続判断部１３０は、各装置から送信される情報（トラップ情報と呼んでもよい）を受信し、当該トラップ情報に基づいて、接続状態を判断する。
【００３４】
動作制御部１４０は、後述する切り替え動作の制御を実施する。データ格納部１５０は、上述した申込みの情報や、動作に必要な設定情報（例：ユーザ宅側の装置種別毎の光特性情報）などの種々の情報を格納する。
【００３５】
制御装置１００は、コンピュータに内蔵されるＣＰＵやメモリ等のハードウェア資源を用いて、制御装置１００で実施される処理に対応するプログラムを実行することによって実現することが可能である。上記プログラムは、コンピュータが読み取り可能な記録媒体（可搬メモリ等）に記録して、保存したり、配布したりすることが可能である。また、上記プログラムをインターネットや電子メール等、ネットワークを通して提供することも可能である。
【００３６】
なお、主に、図１に示した制御装置１００、光可視化ＰＰ３１０、及び測定器３５０により、切り替えの制御を行うことができるので、これらからなるシステムを切り替えシステムと称しても良い。
【００３７】
図４は、上記コンピュータのハードウェア構成例を示す図である。図４のコンピュータは、それぞれバスＢで相互に接続されているドライブ装置１０００、補助記憶装置１００２、メモリ装置１００３、ＣＰＵ１００４、インタフェース装置１００５、表示装置１００６、及び入力装置１００７等を有する。
【００３８】
当該コンピュータでの処理を実現するプログラムは、例えば、ＣＤ−ＲＯＭ又はメモリカード等の記録媒体１００１によって提供される。プログラムを記憶した記録媒体１００１がドライブ装置１０００にセットされると、プログラムが記録媒体１００１からドライブ装置１０００を介して補助記憶装置１００２にインストールされる。但し、プログラムのインストールは必ずしも記録媒体１００１より行う必要はなく、ネットワークを介して他のコンピュータよりダウンロードするようにしてもよい。補助記憶装置１００２は、インストールされたプログラムを格納すると共に、必要なファイルやデータ等を格納する。
【００３９】
メモリ装置１００３は、プログラムの起動指示があった場合に、補助記憶装置１００２からプログラムを読み出して格納する。ＣＰＵ１００４は、メモリ装置１００３に格納されたプログラムに従って、制御装置１００に係る機能を実現する。インタフェース装置１００５は、ネットワークに接続するためのインタフェースとして用いられ、ネットワークを介した入力手段及び出力手段として機能する。表示装置１００６はプログラムによるＧＵＩ（Ｇｒａｐｈｉｃａｌ  Ｕｓｅｒ  Ｉｎｔｅｒｆａｃｅ）等を表示する。入力装置１００７はキーボード及びマウス、ボタン、又はタッチパネル等で構成され、様々な操作指示を入力させるために用いられる。
【００４０】
（接続判断ロジック例）
本実施の形態の通信システムにおける切り替え動作においては、制御装置１００の接続判断部１３０が、ユーザ宅側の装置の接続状態の判断を実施するので、ここで、その接続判断ロジックの一例を説明する。
【００４１】
前述したように、光可視化ＰＰ３１０は、ユーザ宅側から送出される光信号を検知し、当該光信号を電気信号として制御装置１００に通知することができる。なお、光信号を電気信号として通知することは一例であり、光信号を光信号のまま通知することとしてもよい。光可視化ＰＰ３１０から制御装置１００に通知される電気信号あるいは光信号を通知信号と呼ぶことにする。
【００４２】
あるユーザ宅側装置から送出された光信号を受信した光可視化ＰＰ３１０は、当該ユーザ宅側装置についての通知信号を送信し、制御装置１００の接続判断部１３０が当該通知信号を受信する。
【００４３】
接続判断部１３０は、当該通知信号から、当該ユーザ宅側装置から送出された光信号の光特性（例：周波数、点滅周期）を識別し、当該光特性に基づき、光信号の送出元のユーザ宅側装置が既存装置であるか新装置であるかを識別できる。この識別に関しては、例えば、過去に受信した既存装置からの光信号の光特性をデータ格納部１５０に格納しておき、当該光特性と判断対象の光信号の光特性とを比較することで、実現できる。また、メーカー毎、装置種別毎、装置バージョン毎等に、光特性を予めデータ格納部１５０に格納しておき、判断対象の光信号の光特性と格納しておいた光特性とを比較することで識別を実施してもよい。
【００４４】
また、制御装置１００の接続判断部１３０は、局舎側装置がユーザ宅側装置からの受信光を検知したことを表すトラップ情報や、局舎側装置がユーザ宅側装置と通信可能であることを示すトラップ情報等を局舎側装置から受信する。
【００４５】
これらの情報に基づき、接続判断部１３０は、例えば図５に示すロジックで接続判断を実施することができる。なお、図５に示すロジックは一例に過ぎない。図５に示すロジックの他、例えば、光可視化ＰＰ３１０からに通知信号のみで接続判断を行うこととしてもよい。以下、図５の例を説明する。
【００４６】
図５に示すとおり、接続判断部１３０は、例えば、光可視化ＰＰ３１０からの通知信号に基づいて、ユーザ宅側では既存装置２１０が接続されていると判断し、かつ、局舎側既存装置３３０からのトラップ情報に基づいて、局舎側既存装置３３０がユーザ宅側既存装置２１０からの受信光を検知し、ユーザ宅側既存装置２１０と通信可能である、と判断した場合には、ユーザ宅側既存装置２１０は局舎側既存装置３３０と接続していると判断する。
【００４７】
また、例えば、接続判断部１３０は、光可視化ＰＰ３１０からの通知信号に基づいて、ユーザ宅側では既存装置２１０が接続されていると判断し、かつ、局舎側既存装置３３０からのトラップ情報に基づいて、局舎側既存装置３３０がユーザ宅側既存装置２１０からの受信光を検知したが通信不可であると判断した場合には、正常系では該当無しのパターンであることから、Ｎ／Ａ（ｎｏｔ  ａｐｐｌｉｃａｂｌｅ）とする。なお、この場合、故障あるいは不具合が発生していることが想定されるので、「故障」と判断してもよい。
【００４８】
また、例えば、接続判断部１３０は、光可視化ＰＰ３１０からの通知信号に基づいて、ユーザ宅側では既存装置２１０が接続されていると判断し、かつ、局舎側既存装置３３０からのトラップ情報に基づいて、局舎側既存装置３３０がユーザ宅側既存装置２１０からの受信光を検知していないと判断した場合には、ユーザ宅側既存装置２１０は局舎側既存装置３３０と接続していないと判断する（つまり、ロボＰＰ３２０における接続がされていない状態）。
【００４９】
また、例えば、接続判断部１３０は、光可視化ＰＰ３１０からの通知信号に基づいて、ユーザ宅側では新装置２２０が接続されていると判断し、かつ、局舎側既存装置３３０からのトラップ情報に基づいて、局舎側既存装置３３０がユーザ宅側既存装置２１０からの受信光を検知したが通信不可であると判断した場合には、ユーザ宅側新装置２２０が局舎側既存装置３３０と接続していると判断する。
【００５０】
なお、ここでは、局舎側既存装置３３０はユーザ宅側新装置２２０からの光信号の検知はできるが、光特性の相違等により、ユーザ宅側新装置２２０との通信はできないことを想定している。ただし、接続判断部１３０は、光可視化ＰＰ３１０からの通知信号に基づいて、ユーザ宅側では新装置２２０が接続されていると判断し、かつ、局舎側既存装置３３０からのトラップ情報に基づいて、局舎側既存装置３３０がユーザ宅側新装置２２０からの受信光を検知し、通信可能であると判断した場合でも、ユーザ宅側新装置２２０が局舎側既存装置３３０と接続していると判断することとしてもよい。
【００５１】
（切り替え動作例）
マイグレーションにより、ユーザ宅側既存装置２１０をユーザ宅側新装置２２０に切り替え、ユーザ宅側の装置と通信する局舎側の装置を局舎側既存装置３３０から局舎側新装置３４０に切り替える場合における動作例を図６〜図１０に示す手順に沿って説明する。
【００５２】
＜ステップ１：図６＞
ステップ１では、図６に示すように、ユーザは、制御装置１００のユーザＩＦ部１１０により表示されるポータル画面等から装置マイグレーションを申込む。申込み情報には、ユーザの識別情報、及び切り替え予定日時が含まれ、これらはデータ格納部１５０に格納される。動作制御部１４０は、ユーザの識別情報に基づき、当該ユーザのユーザ宅側既存装置２１０がユーザ宅側新装置２２０に切り替えられると判断し、その判断に基づいて、ＮＷ設計を実施し、その結果をデータ格納部１５０に格納する。ＮＷ設計の結果には、例えば、ロボＰＰ３２０における接続切り替え情報が含まれる。接続切り替え情報は、例えば、既存の接続「ユーザ側ポートＡ−局舎装置側ポートＸ」を接続「ユーザ側ポートＡ−局舎装置側ポートＹ」に切り替えることを示す情報である。
【００５３】
また、動作制御部１４０は、マイグレーション待ち状態に遷移する。マイグレーション待ち状態とは、当該ユーザに関して、現在時刻が「切り替え予定日時」になるまで待つことである。図６に示すように、切り替え動作が開始されるまでは、ユーザ宅側既存装置２１０と局舎側既存装置３３０との間に主信号が流れている。
【００５４】
現在時刻が「切り替え予定日時」になると、ステップ２以降の処理が実施される。
【００５５】
＜ステップ２：図７＞
ステップ２では、図７に示すように、ユーザがユーザ宅側既存装置２１０を取り外す。つまり、ユーザ宅側既存装置２１０を局舎から延びている回線（光ファイバ）から取り外す。
【００５６】
これにより、光可視化ＰＰ３１０はユーザ宅側既存装置２１０からの光信号を検知しないので、そのことを示す通知信号（警報）を発出する。また、局舎側既存装置３３０もユーザ宅側既存装置２１０からの光信号を検知しないので、そのことを示すトラップ情報（警報）を発出する。制御装置１００の接続判断部１４０は、これらの警報を受信し、ユーザ宅側既存装置２１０が切断されたと判断し、判断結果は動作制御部１４０に通知される。
【００５７】
＜ステップ３：図８＞
ステップ３では、図８に示すように、ユーザがユーザ宅側新装置２２０を取り付ける。つまり、ユーザ宅側新装置２２０を局舎から延びている回線（光ファイバ）に接続する。これにより、光可視化ＰＰ３１０はユーザ宅側新装置２２０からの光信号を受信し、光信号を受信したことを示す通知信号を制御装置１００に送信する。また、局舎側既存装置３３０は、ユーザ宅側新装置２２０からの受信光を検知したが通信不可であることを示すトラップ情報を制御装置１００に送信する。
【００５８】
制御装置１００の接続判断部１３０は、光可視化ＰＰ３１０からの通知信号に基づいて、ユーザ宅側では新装置２２０が接続されていると判断し、かつ、局舎側既存装置３３０からのトラップ情報に基づいて、局舎側既存装置３３０がユーザ宅側新装置２２０からの受信光を検知したが通信不可であると判断するので、ユーザ宅側新装置２２０が局舎側既存装置３３０と接続していると判断することができる。判断結果を動作制御部１４０に通知される。
【００５９】
＜ステップ４：図９＞
ステップ４では、ユーザ宅側新装置２２０が接続されたことを検知した動作制御部１４０は、ロボＰＰ３２０に対して、ユーザ宅側新装置２２０と測定器３５０とを接続するように接続切り替えの実施を指示する。
【００６０】
図９に示すように、ロボＰＰ３２０は指示に従って接続切り替えを実施し、ユーザ宅側新装置２２０と測定器３５０とが接続される。また、動作制御部１４０は測定器３５０に対して開通試験の実施を指示し、測定器３５０は開通試験を実施する。ここで、光可視化ＰＰ３１０は、開通試験に伴って流れる光信号を検知し、その通知信号を制御装置１００に発出する。動作制御部１４０は、当該通知信号により開通試験を実施していることを把握できる。
【００６１】
ここでは、測定器３５０による開通試験が成功し、成功したことを示す情報が制御装置１００の動作制御部１４０に送られる。これにより、動作制御部１４０は、ユーザ宅側新装置２２０と局舎との伝送経路が開通したことを把握する。開通を把握するとステップ５に進む。
【００６２】
＜ステップ５：図１０＞
ステップ５では、ユーザ宅側新装置２２０に対する開通試験が成功したことを検知した動作制御部１４０は、ロボＰＰ３２０に対して、ユーザ宅側新装置２２０と局舎側新装置３４０とを接続するように接続切り替えの実施を指示する。
【００６３】
図１０に示すように、ロボＰＰ３２０は指示に従って接続切り替えを実施し、ユーザ宅側新装置２２０と局舎側新装置３４０とが接続される。また、動作制御部１４０は、局舎側新装置３４０に対し、ユーザ宅側新装置２２０との通信に必要な設定を投入する。なお、既に設定が投入されていたり、新たな設定投入が不要である場合には、ここでの設定投入を行わないこととしてもよい。
【００６４】
光可視化ＰＰ３１０はユーザ宅側新装置２２０と局舎側新装置３４０との間を流れる光信号を受信し、光信号を受信したことを示す通知信号を制御装置１００に送信する。また、局舎側新装置３４０は、ユーザ宅側新装置２２０からの受信光を検知し、通信可能であることを示すトラップ情報を制御装置１００に送信する。これらの情報により、制御装置１００の動作制御部１４０は、切り替えが完了し、マイグレーション後の装置でのサービス提供が開始されたことを把握できる。
【００６５】
（実施の形態の効果等）
以上説明したように、本実施の形態では、配線切り替え機能と光特性の監視機能を具備した装置を組み合わせ、かつ接続される装置の光特性情報を収集・管理できるようにした。このような構成を採用したことで、既存装置と新装置のどちらが接続されたかを自動的に判別することができ、ユーザ宅装置交換作業をトリガーとしたマイグレーションを自動的に実現することができる。
【００６６】
これにより、現地作業員が行っていた配線、試験、引き渡し作業を全て遠隔から完全自動化することができ、その結果、現地作業員派遣に必要なＯＰＥＸ（Ｏｐｅｒａｔｉｎｇ  Ｅｘｐｅｎｓｅ）削減、稼動ひっ迫によるリードタイム延長のリスク低減を実現できる。
【００６７】
また、ユーザ依頼から配線までの制御をポータル上からユーザ自身で実施することも可能であり、これによりＯＰ（Ｏｐｅｒａｔｉｏｎ）レス化して完全自動化することができる。また、配線作業のリードタイムを大幅に短縮し、ＯＰ（Ｏｐｅｒａｔｉｏｎ）ミスのリスク低減を実現できる。
【００６８】
（実施の形態のまとめ）
以上、説明したとおり、本実施の形態により、少なくとも下記の制御装置、切り替えシステム、切り替え制御方法、及びプログラムが提供される。
（第１項）
第１宅内装置とその対向の第１局舎装置を、第２宅内装置とその対向の第２局舎装置に切り替えるための制御を実施する制御装置であって、
前記第１局舎装置と前記第２局舎装置とが備えられる局舎には、宅内装置からの信号を検知する信号検知装置、及び測定器が備えられており、
前記信号検知装置からの通知信号に基づいて、宅内側で前記第１宅内装置が取り外され、前記第２宅内装置が取り付けられたことを検知する接続判断部と、
前記第２宅内装置と前記測定器とを接続し、当該測定器を用いた開通試験を実施し、開通試験に成功した場合に、前記第２宅内装置と前記第２局舎装置とを接続する動作制御部と
を備える制御装置。
（第２項）
前記接続判断部は、前記信号検知装置が宅内装置から受信する光信号の光特性に基づいて、前記第２宅内装置が取り付けられているか否かを判断する
第１項に記載の制御装置。
（第３項）
前記局舎には、宅内装置と局舎装置との間の接続切り替えを行う自動接続切り替え装置が備えられ、前記動作制御部は、前記自動接続切り替え装置に指示を送信することにより、接続切り替えを実行する
第１項又は第２項に記載の制御装置。
（第４項）
第１項ないし第３項のうちいずれか１項に記載の制御装置と、前記信号検知装置と、前記測定器と
を有する切り替えシステム。
（第５項）
第１宅内装置とその対向の第１局舎装置を、第２宅内装置とその対向の第２局舎装置に切り替えるための制御を実施する制御装置が実行する切り替え制御方法であって、
前記第１局舎装置と前記第２局舎装置とが備えられる局舎には、宅内装置からの信号を検知する信号検知装置、及び測定器が備えられており、
前記信号検知装置からの通知信号に基づいて、宅内側で前記第１宅内装置が取り外され、前記第２宅内装置が取り付けられたことを検知するステップと、
前記第２宅内装置と前記測定器とを接続し、当該測定器を用いた開通試験を実施し、開通試験に成功した場合に、前記第２宅内装置と前記第２局舎装置とを接続するステップと
を備える切り替え制御方法。
（第６項）
コンピュータを、第１項ないし第３項のうちいずれか１項に記載の制御装置における各部として機能させるためのプログラム。
【００６９】
以上、本実施の形態について説明したが、本発明はかかる特定の実施形態に限定されるものではなく、特許請求の範囲に記載された本発明の要旨の範囲内において、種々の変形・変更が可能である。
【符号の説明】
【００７０】
１００  制御装置
１１０  ユーザＩＦ部
１２０  申込み処理部
１３０  接続判断部
１４０  動作制御部
１５０  データ格納部
２００  ユーザ宅
２１０  ユーザ宅側既存存置
２２０  ユーザ宅側新装置
２３０  ユーザ装置
３００  局舎
３１０  光可視化ＰＰ
３２０  ロボＰＰ
３３０  局舎側既存装置
３４０  局舎側新装置
３５０  測定器
４００  メトロＮＷ４００
１０００  ドライブ装置
１００１  記録媒体
１００２  補助記憶装置
１００３  メモリ装置
１００４  ＣＰＵ
１００５  インターフェース装置
１００６  表示装置
１００７  入力装置
【図１】
2020048171.tif 000003
【図２】
2020048171.tif 000004
【図３】
2020048171.tif 000005
【図４】
2020048171.tif 000006
【図５】
2020048171.tif 000007
【図６】
2020048171.tif 000008
【図７】
2020048171.tif 000009
【図８】
2020048171.tif 000010
【図９】
2020048171.tif 000011
【図１０】
2020048171.tif 000012